(57)【特許請求の範囲】
【請求項１】
幅木本体と該幅木本体に突き合せ状態で連設された端部部材とでなり、かつ、前記幅木本体を構成する本体部材の下辺に沿って上下位置が調整自在に不陸調整部材が係合されている幅木の構造であって
前記不陸調整部材は、前記本体部材の側部端面から突出する長さとされており、かつ、
前記端部部材は、下部に前記不陸調整部材の突出する端部を収納する空間が形成されていると共に、該空間の前方が、前記端部部材の前面で覆われていることを特徴とする幅木構造。
【請求項２】
前記請求項１に記載の幅木構造において、
前記端部部材の前面は前面部材で構成されており、該前面部材の下部が、前記不陸調整部材の突出する端部を収納する空間の前方を覆っていることを特徴とする幅木構造。
【請求項３】
前記請求項１または請求項２に記載の幅木構造において、
前記端部部材に形成されて前記不陸調整部材の突出する端部を収納する空間は、連続して形成されていることを特徴とする幅木構造。
【発明の詳細な説明】
【技術分野】
【０００１】
本発明は、床面と壁面との境界を覆う幅木の構造に関し、室内用造作材の技術分野に属する。
【背景技術】
【０００２】
従来、室内において床面と壁面との境界を覆い、壁面下部を損傷や汚れから保護するための幅木本体と端部部材とでなる幅木が用いられることがある。この幅木の構造としては、例えば特許文献１及び特許文献２に開示のものがある。
【０００３】
まず、特許文献１に記載の幅木構造では、一例として入隅における場合を図１６に示すように、断面形状が長方形とされた板状の幅木本体Ａ，Ａが、床面Ｆと壁面Ｗとの境界に沿って入隅に向けて配設され、壁面Ｗに固定されている。そして、幅木本体Ａ，Ａのそれぞれ一方の端部を所定の範囲に亘って覆うように、平面形状及び断面形状が共にＬ字状とされたキャップ様の端部部材Ｂが取り付けられている。この場合、幅木本体Ａ，Ａの入隅側端面は端部部材Ｂで覆われるので、幅木本体Ａ，Ａを見栄えよく入隅に配設することができる。また、寸法精度が要求される幅木本体Ａ，Ａの端部に対する４５度カット加工を施工現場において省略することができ、作業性が向上することになる。
【０００４】
ところで、この幅木構造の場合、幅木本体Ａと端部部材Ｂとの間の隙間の発生を防止して、見栄えの維持やごみ等の侵入防止のためには、幅木本体Ａの形状に合った端部部材Ｂを使用する必要がある。特に二点鎖線で示す横溝部Ａ１を前面に有する幅木本体Ａを使用する場合には、この前面形状に合った端部部材Ｂを使用しないと、符号Ｇで示す箇所の隙間から内部へごみ等が侵入することになる。また、このような隙間の発生を回避したければ、幅木本体Ａの形状に合わせて端部部材Ｂの豊富な品揃えが必要となり、コスト面や部材管理面で問題となることがある。
【０００５】
さらに、端部部材Ｂを幅木本体Ａ，Ａの端部に跨って、例えば接着剤等で取り付けることになるので、壁面Ｗに対して間接的な取り付けであることから、壁面Ｗに対する取付力の点で問題となることがある。
【０００６】
一方、特許文献２に記載の幅木構造では、一例として出隅における場合を図１７に示すように、予め平面形状がＬ字状に形成された端部部材Ｃが出隅に配設され、壁面Ｗに固定されている。そして、断面形状が長方形とされた板状の幅木本体Ｄ，Ｄが、その一方の端面Ｄ１，Ｄ１を前記端部部材Ｃの端面Ｃ１，Ｃ１に突き合わせるように床面Ｆと壁面Ｗとの境界に沿って配設され、壁面Ｗに固定されている。この場合、予めＬ字状に形成された端部部材Ｃを使用するので、施工現場における前述した４５度カット加工を省略することができる。また、端部部材Ｃの端面Ｃ１，Ｃ１と幅木本体Ｄの端面Ｄ１，Ｄ１とを突き合わせた構造であるので、前述したような隙間発生によるごみ等の侵入の問題は回避され、端部部材Ｃの品揃えは少なくて済む。しかも、端部部材Ｃは壁面Ｗに固定されるので、壁面Ｗに対する十分な取付力が得られることになる。
【０００７】
【特許文献１】実開平５−８４７３３号公報
【特許文献２】実開平２−８３９４４号公報
【発明の開示】
【発明が解決しようとする課題】
【０００８】
ところで、幅木本体を構成する本体部材に上下位置を調整自在に係合されて、床面Ｆの不陸があってもそれを調整して、床面Ｆと壁面Ｗとの間の隙間を前方から覆う部材が使用されることがある。図１８に、この不陸調整部材を前記特許文献２に記載の幅木本体Ｄに適用した場合の構造を示す。この場合、幅木本体Ｄは、本体部材Ｄ２と該本体部材Ｄ２の下辺に沿って係合された樹脂製の断面形状が略ユ字状の不陸調整部材Ｄ３とで構成されており、幅木本体Ｄ，Ｄの端面Ｄ１，Ｄ１は端部部材Ｃの端面Ｃ１，Ｃ１に突き合わされている。なお、前記不陸調整部材Ｄ３の下端は床面Ｆに着地している。
【０００９】
しかしながら、このような幅木構造において、新たな問題が生じることがある。すなわち、図１９（ａ）に示すように、端部部材Ｃと幅木本体Ｄの本体部材Ｄ２とが端面同士を突き合わせて壁面Ｗに固定されており、前記本体部材Ｄ２の下辺に、床面Ｆ、壁面Ｗ、及び本体部材Ｄ２のいずれにも固定されない不陸調整部材Ｄ３が、床面Ｆに着地しつつ上下位置が調整自在に係合されていると、この不陸調整部材Ｄ３は室内温度の変化に応じて伸縮することとなり、低温時には固定状態の本体部材Ｄ２に対して不陸調整部材Ｄ３が収縮して、端部部材Ｃの端部と不陸調整部材Ｄ３の端部との間に、符号Ｇで示す箇所に隙間が生じることがある。
【００１０】
一方、図１９（ｂ）に示すように、高温時に不陸調整部材Ｄ３が伸張すると、該不陸調整部材Ｄ３の両端部が壁面Ｗに固定された一対の端部部材（一方のみ図示）Ｃ，Ｃの端面で拘束されている関係から、不陸調整部材Ｄ３は本体部材Ｄ２の前面に対して前方に浮き上がるようになり、不陸調整部材Ｄ３と本体部材Ｄ２の前面との間に、符号Ｇで示す箇所に隙間が生じることがある。その結果、いずれの場合においても、見栄えが損なわれると共に隙間からごみ等が内部へ侵入するという問題が生じることになる。
【００１１】
そこで、本発明は、幅木本体と端部部材との端面同士を突き合わせて床面と壁面との境界に沿って取り付ける場合に、幅木本体を構成する本体部材の下辺に上下位置が調整自在に係合された不陸調整部材の伸縮を吸収することにより隙間の生成を防止して、見栄えを損なうことがなく、また、ごみ等が侵入することのない幅木構造を提供することを課題とする。
【課題を解決するための手段】
【００１２】
前記課題を解決するため、本発明は次のように構成したことを特徴とする。
【００１３】
まず、請求項１に記載の発明は、幅木本体と該幅木本体に突き合せ状態で連設された端部部材とでなり、かつ、前記幅木本体を構成する本体部材の下辺に沿って上下位置が調整自在に不陸調整部材が係合されている幅木の構造であって、前記不陸調整部材は、前記本体部材の側部端面から突出する長さとされており、かつ、前記端部部材は、下部に前記不陸調整部材の突出する端部を収納する空間が形成されていると共に、該空間の前方が、前記端部部材の前面で覆われていることを特徴とする。
【００１４】
次に、請求項２に記載の発明は、前記請求項１に記載の幅木構造において、前記端部部材の前面は前面部材で構成されており、該前面部材の下部が、前記不陸調整部材の突出する端部を収納する空間の前方を覆っていることを特徴とする。
【００１５】
そして、請求項３に記載の発明は、前記請求項１または請求項２に記載の幅木構造において、前記端部部材に形成されて前記不陸調整部材の突出する端部を収納する空間は、連続して形成されていることを特徴とする。
【発明の効果】
【００１６】
まず、請求項１に記載の発明によれば、幅木本体を構成する本体部材の側部端面から突出する長さの不陸調整部材を使用して、その端部を端部部材に形成された空間に収納するので、不陸調整部材が収縮してもその端部が前記空間から露出することのないように突出長さを設定することにより、不陸調整部材の端部と端部部材の端面との間に隙間は生じなくなる。一方、不陸調整部材が伸張してもその端部がさらに奥方へ進入可能に前記空間の長さを設定することにより、不陸調整部材の端部が端部部材の端面で拘束されることはなくなり、不陸調整部材は本体部材から前方へ浮き上がらなくなる。したがって、隙間の生成を防止して、見栄えを損なうことがなく、また、ごみ等が侵入することのない幅木構造が実現される。
【００１７】
また、請求項２に記載の発明によれば、端部部材の前面を別部材の前面部材で構成するので、該部材とそれ以外の端部部材の部分とで目的用途に応じた材質のものをそれぞれ使用することができ、多様な特徴を兼ね備えた端部部材が得られる。
【００１８】
そして、請求項３に記載の発明によれば、端部部材に連続しない所定長さの収納空間を形成する場合に比較して、切削工具を使用した加工が容易となる。
【発明を実施するための最良の形態】
【００１９】
以下、本発明の実施の形態に係る幅木本体と端部部材とでなる幅木の構造について説明する。
【００２０】
図１に示すように、床面Ｆと壁面Ｗとの境界に沿って配設された幅木本体１０，１０は、細長い板状の本体部材２０，２０と、該本体部材２０，２０の下辺に沿って上下位置が調整自在に係合されて床面Ｆの不陸を調整するための部材３０，３０とを備えている。また、該幅木本体１０，１０は、入隅に配設された平面形状がＬ字状の端部部材４０に、符号Ｐで示すように突き合わされている。その場合、詳しく後述するように、前記不陸調整部材３０，３０の端部は、前記端部部材４０に差し込まれている。
【００２１】
図２〜図４に示すように、幅木本体１０を構成するＭＤＦ（中密度木質繊維板）製の本体部材２０は、上部前面が面取りされていると共に、前面の所定の高さ位置に全長に亘って略円弧状に凹陥された横溝部２１が設けられており、該横溝部２１に釘Ｎ，Ｎが打ち込まれて壁面Ｗに固定されている。また、本体部材２０には、下部前面と下部後面とに全長に亘って切欠部２２，２３が設けられている。
【００２２】
不陸調整部材３０は、前記本体部材２０の下辺に係合する断面形状とされており、また、床面Ｆ、壁面Ｗ、及び本体部材２０のいずれにも固定されていない。すなわち、不陸調整部材３０は、本体部材２０の前後の切欠部２２，２３に係合する前方及び後方垂直部３１，３２と、これらを連結する水平部３３とを有している。さらに、前方垂直部３１には、該垂直部３１から延びて床面Ｆに着地する延設部３４が設けられている。その場合、不陸調整部材３０は、本体部材２０の側部端面から片側当り長さｘだけ突出して長く、また、前方垂直部３１及び延設部３４の前面と本体部材２０の前面とは略面一とされ、そして、軟質樹脂製の延設部３４以外は、硬質樹脂製とされている。なお、前記長さｘは、不陸調整部材３０の長さによって変動するが、一例として１０ｍｍ程度が設定される。
【００２３】
前記幅木本体１０が符号Ｐで示すように突き合わされる相手方の端部部材４０は、本体部材２０と同様にＭＤＦ製のもので、上部前面が面取りされていると共に、前面の所定の高さ位置に全長に亘って前記本体部材２０の場合より深く略円弧状に凹陥された横溝部４１が設けられており、該横溝部４１に釘Ｎ，Ｎが打ち込まれて壁面Ｗに固定されている。
【００２４】
端部部材４０は、本体部材２０と不陸調整部材３０とを含む幅木本体１０に比較して、高さ寸法は若干大きく設定されており、さらに、壁面Ｗへの固定時には、端部部材４０の横溝部４１と本体部材２０の横溝部２１とは、同じ高さ位置となるように固定され、かつ、端部部材４０の横溝部４１と本体部材２０の横溝部２１とは、奥方の面同士略面一となるように、各横溝部２１，４１の凹陥深さは設定されている（特に図２参照）。
【００２５】
端部部材４０は、工場で一方の端部が９０度カットされると共に他方の端部が４５度カットされた一対の部材を、４５度カットされた端面同士を突き合わせ、接着剤、ダボ継ぎ、連結具使用等の適宜の接合方法を介して平面形状がＬ字状とされている（特に図４参照）。
【００２６】
端部部材４０の突き合せ側の下部には、本体部材２０の下辺に係合された不陸調整部材３０の突出する端部を収納可能な空間を形成するため、中間溝部４２と後方切欠部４３とが設けられており、中間溝部４２と後方切欠部４３との間の部分は床面Ｆに着地しない中間部４４とされると共に、中間溝部４２の前方部分は床面Ｆに着地する壁部４５とされている。すなわち、不陸調整部材３０の突出する端部の前方垂直部３１及び延設部３４は前記中間溝部４２で形成される空間Ｓ１に、後方垂直部３２は前記後方切欠部４３と壁面Ｗとの間の空間Ｓ２に、水平部３３は前記中間部４４と床面Ｆとの間の空間Ｓ３に、それぞれ収納される。そして、前記空間Ｓ１，Ｓ３ひいては前方垂直部３１及び延設部３４は前方壁部４５で覆われる。このように、端部部材４０の厚みは幅木本体１０の厚みより前記前方壁部４５の分だけ厚く設定されている。なお、この場合の前方壁部４５の厚みはおよそ２ｍｍとされている。
【００２７】
そして、前記端部部材４０における中間溝部４２及び後方切欠部４３の突き合せ端部からの長さは、前記不陸調整部材３０の端部部材４０への差込長さである長さｘに加えて、長さｙだけ余裕を持って設けられている。
【００２８】
なお、図示は省略しているが、本体部材２０、不陸調整部材３０、及び端部部材４０の前面には、樹脂製や紙製等、公知の化粧シートが貼り付けられている。
【００２９】
次に、幅木本体１０及び端部部材４０の施工方法の一例について説明する。
【００３０】
まず、図５（ａ）に示すように、Ｌ字状の端部部材４０，４０を、前方壁部４５，４５を床面Ｆに着地させた上で、図例上左右の入隅の壁面Ｗにピンタッカを使用して釘Ｎ…Ｎで固定する。これにより、以降の幅木本体１０の取り付けに際して位置決めが容易となる。その場合、工場でＬ字状に形成された端部部材４０を使用することにより、施工現場での寸法精度が要求される４５度カット加工が省略されるメリットがある。
【００３１】
次いで、本体部材２０を所要の長さに切断すると共に、図５（ｂ）に示すように、不陸調整部材３０を前記本体部材２０より片側で長さｘだけ長くなるように切断したのち、撓ませながら、両端部を端部部材４０，４０における空間Ｓ１〜Ｓ３に前記長さｘだけ横方向から差し込み、下端の延設部３４を床面Ｆに着地させる。
【００３２】
次いで、図５（ｃ）に示すように、本体部材２０を上方から不陸調整部材３０に差し込んで、幅木本体１０と左右両側の端部部材４０，４０とを符号Ｐ，Ｐで示すように突き合せ、ピンタッカを使用して本体部材２０を釘Ｎ…Ｎで壁面Ｗに固定して、取付作業を終了する。
【００３３】
なお、不陸調整部材３０が硬くて容易には撓ませることができない場合には、まず、図６（ａ）に示すように、Ｌ字状の端部部材４０を、前方壁部４５を床面Ｆに着地させた上で、右側の入隅の壁面Ｗにピンタッカを使用して釘Ｎ…Ｎで固定する。
【００３４】
次いで、図６（ｂ）に示すように、不陸調整部材３０を片側当り長さｘだけ端部部材４０の空間Ｓ１〜Ｓ３に差し込むことができるように切断したのち、一方の端部を前記空間Ｓ１〜Ｓ３に前記長さｘだけ横方向から差し込み、下端の延設部３４を床面Ｆに着地させる。
【００３５】
次いで、図６（ｃ）に示すように、左側の入隅において、Ｌ字状の端部部材４０を上方から不陸調整部材３０の他方の端部に差し込んで、前方壁部４５を床面Ｆに着地させた上で、この端部部材４０をピンタッカを使用して釘Ｎ…Ｎで壁面Ｗに固定する。
【００３６】
次いで、図６（ｄ）に示すように、所要の長さに切断された本体部材２０を上方から不陸調整部材３０に差し込んで、幅木本体１０と両側の端部部材４０，４０とを符号Ｐ，Ｐで示すように突き合せ、ピンタッカを使用して本体部材２０を釘Ｎ…Ｎで壁面Ｗに固定して、取付作業を終了する。この方法は、撓ませることができる不陸調整部材３０を使用する場合にも適用される。
【００３７】
以上のように構成したことにより、幅木本体１０と端部部材４０との端面同士を突き合わせて床面Ｆと壁面Ｗとの境界に沿って取り付ける場合において、幅木本体１０を構成する本体部材２０の側部端面から突出する長さの不陸調整部材３０を使用して、その端部を端部部材４０に形成された空間Ｓ１〜Ｓ３に収納するので、不陸調整部材３０が収縮してもその端部が前記空間Ｓ１〜Ｓ３から露出することのないように突出長さｘを設定することにより、不陸調整部材３０の端部と端部部材４０の端面との間に隙間は生じなくなる。
【００３８】
一方、不陸調整部材３０が伸張してもその端部がさらに奥方へ進入可能に前記空間Ｓ１〜Ｓ３の長さｘ＋ｙを設定することにより、不陸調整部材３０の端部が端部部材４０の端面で拘束されることはなくなり、不陸調整部材３０は本体部材２０から前方へ浮き上がらなくなる。したがって、隙間の生成を防止して、見栄えを損なうことがなく、また、ごみ等が侵入することのない幅木構造が実現される。
【００３９】
すなわち、図７を用いて説明すると、まず図７（ａ）に示すように、室内が低温時には、壁面Ｗに固定状態の本体部材２０に対して不陸調整部材３０が収縮しても、元々それを見込んで不陸調整部材３０を、片側当り長さｘだけ長く切断して本体部材２０の下辺に係合させていると共に、端部を端部部材４０に形成されて前方が前方壁部４５で覆われた空間Ｓ１〜Ｓ３に差し込んで収納させているので、不陸調整部材３０の端部と端部部材４０の端面との間に隙間が生じることはない（図２も参照）。
【００４０】
一方、図７（ｂ）に示すように、室内が高温時には、壁面Ｗに固定状態の本体部材２０に対して不陸調整部材３０が伸張しても、元々不陸調整部材３０の端部がさらに奥方へ進入可能に端部部材４０には長さｙだけ余裕を持って収納空間Ｓ１〜Ｓ３が設けられているので、不陸調整部材３０の端部が端部部材４０の端面で拘束されることはなくなり、不陸調整部材３０は本体部材２０から前方へ浮き上がらなくなる。その結果、不陸調整部材３０の前方垂直部３１と本体部材２０の前面つまり前方切欠部２２との間に隙間が生じることはない（図２も参照）。
【００４１】
ここで、端部部材の変形例について説明するが、前述した各部材と共通あるいは類似する構成要素については、説明の複雑化を回避するため、同じ符号を付すことにする。
【００４２】
まず、図３及び図４に示したように、前記端部部材４０では、不陸調整部材３０を収納する空間Ｓ１〜Ｓ３を、符号Ｐで示す突き合せ箇所から所定長さｘ＋ｙに亘って設けられていたが、図８に示す入隅の場合のように、前記空間（図例ではＳ１とＳ２とを示す）Ｓ１〜Ｓ３を、端部部材４０に連続して設けてもよい。
【００４３】
この場合、図４に示した端部部材４０に連続しない所定長さｘ＋ｙの収納空間Ｓ１〜Ｓ３を形成する構成に比較して、切削工具を使用した加工が容易となる。また、前方壁部４５が前記空間Ｓ１，Ｓ３を覆っているので、該空間Ｓ１，Ｓ３が露出して見栄えを損なうことはない。なお、端部部材４０における不陸調整部材３０の収納空間Ｓ１〜Ｓ３が長くなるから、これに伴なって不陸調整部材３０の差込長さを長くすることができるが、その場合には、両側から差し込まれた一対の不陸調整部材３０，３０の端部同士が互いに干渉しないように、不陸調整部材３０，３０の差込長さを設定する必要がある。
【００４４】
また、図３に示したように、前記端部部材４０は、中間溝部４２、後方切欠部４３、及び中間部４４により全体として略コ字状となる空間Ｓ１〜Ｓ３が形成されていたが、図９に示す端部部材４０のように、前記中間部４４を省略すると共に前記中間溝部４２と後方切欠部４３とを合体させて図例のように後方切欠部４３を前方へ拡張することにより、前方壁部４５の背後に、該前方壁部４５と床面Ｆと壁面Ｗとで不陸調整部材３０を収納する広い空間Ｓを形成させてもよい。これにより、端部部材４０の形状が単純化されて、製作コストの低減を図ることができる。
【００４５】
次に、別なる構成の不陸調整部材を備えた幅木構造について説明する。
【００４６】
まず、図１０に示す幅木本体１０Ａに備えられた樹脂製の不陸調整部材３０Ａは、垂直部３２Ａと、その下端から前方に延設された水平部３３Ａとを有して断面形状がＬ字状とされており、前記水平部３３Ａを介して床面Ｆに着地している。
【００４７】
幅木本体１０Ａの本体部材２０Ａ及び端部部材４０Ａには、壁面Ｗ側にそれぞれ後方切欠部２３Ａ，４３Ａが設けられており、不陸調整部材３０Ａの垂直部３２Ａが本体部材２０Ａの後方切欠部２３Ａに係合すると共に、不陸調整部材３０Ａの突出端部は端部部材４０Ａの後方切欠部４３Ａと壁面Ｗとにより形成される空間Ｓ２、及び端部部材４０Ａの中間部４４Ａと床面Ｆとにより形成される空間Ｓ３に長さｘだけ差し込まれて収納されている。そして、前記空間Ｓ３の前方つまり不陸調整部材３０Ａは、前方壁部４５Ａで覆われる。この場合には、不陸調整部材３０Ａは、水平部３３Ａを介して安定して床面Ｆに着地するようになる特徴がある。
【００４８】
また、図１１に示す幅木本体１０Ｂに備えられた樹脂製の不陸調整部材３０Ｂは、垂直部３２Ｂのみを有して断面形状がＩ字状とされており、前記垂直部３２Ｂの下端を介して床面Ｆに着地している。
【００４９】
幅木本体１０Ｂの本体部材２０Ｂ及び端部部材４０Ｂには、厚み方向の略中間箇所に上下に延びる中間溝部２２Ｂ，４２Ｂがそれぞれ設けられており、不陸調整部材３０Ｂの垂直部３２Ｂが本体部材２０Ｂの中間溝部２２Ｂに係合すると共に、不陸調整部材３０Ｂの突出端部は端部部材４０Ｂの中間溝部４２Ｂで形成される空間Ｓ１に長さｘだけ収納されている。そして、前記空間Ｓ１の前方つまり不陸調整部材３０Ｂは、前方壁部４５Ｂで覆われる。この場合には、不陸調整部材３０Ｂは、形状が単純化される特徴がある。
【００５０】
次に、同じ出発部材から本体部材とＬ字状の端部部材を形成するための部材とを得る場合について説明する。
【００５１】
図１２（ａ）に示すように、前記端部部材４０に類似の断面形状とされた長尺の部材が出発部材４０′とされる。該出発部材４０′の下部には、前述した空間Ｓ１〜Ｓ３を形成することになる中間溝部４２′と後方切欠部４３′と中間部４４′とが全長に亘って設けられており、中間溝部４２′の前方は、空間Ｓ１〜Ｓ３の前方を覆うことになる壁部４５′とされている。
【００５２】
前記出発部材４０′から短尺の部材を切断すると、図１２（ｂ）に示すように、前記端部部材４０に類似の断面形状とされて、下部に、前述した空間Ｓ１〜Ｓ３を形成するための中間溝部４２Ｃ″と後方切欠部４３Ｃ″と中間部４４Ｃ″とが設けられており、中間溝部４２Ｃ″の前方が、空間Ｓ１，Ｓ３の前方を覆う壁部４５Ｃ″とされている部材４０Ｃ″が得られることになる。そして、一対の部材４０Ｃ″，４０Ｃ″をＬ字状に組み付けることにより、前記端部部材４０に類似の構成の端部部材が得られることになる。
【００５３】
一方、前記出発部材４０′から長尺の部材を切断した上で、図１２（ｃ）に示すように、前方壁部４５′が切除されると、前方切欠部２２Ｃと後方切欠部２３Ｃとを有する本体部材２０Ｃが得られることになる。そして、前述したと同様の構成の不陸調整部材３０が、前記本体部材２０Ｃの下辺に係合されることになる。このように出発部材４０′を共通化することにより、製作コストが低減されると共に部材管理が簡素化されるメリットがある。
【００５４】
次に、端部部材の前面を別部材で構成する場合について説明する。
【００５５】
図１３に示すように、Ｌ字状の端部部材を形成するための部材４０Ｄ″は、木質製の芯材４１Ｄ″を有している。この芯材４１Ｄ″の下部に、所定の長さに亘って前方切欠部４２Ｄ″と後方切欠部４３Ｄ″とが設けられており、前方切欠部４２Ｄ″と後方切欠部４３Ｄ″との間の部分は床面Ｆに着地しない中間部４４Ｄ″とされる。
【００５６】
一方、この部材４０Ｄ″の前面を構成する前面部材４５Ｄ″は、ＭＤＦ製の薄板４６Ｄ″の表面に化粧シート４７Ｄ″が貼り合わされたもので、符号Ｑで示す箇所で前記化粧シート４７Ｄ″を残してＶカットされたのち、断面形状がＬ字状となるように折曲された上で、前記芯材４１Ｄ″に接着剤等で貼り付けられて、前記部材４０Ｄ″が得られるようになっている。そして、一対の部材４０Ｄ″，４０Ｄ″をＬ字状に組み付けることにより、前記端部部材４０に類似の構成の端部部材が得られることになる。
【００５７】
このように、Ｌ字状の端部部材を形成するための部材４０Ｄ″の前面を別部材の前面部材４５Ｄ″で構成するので、該部材４５Ｄ″とそれ以外の端部部材４０Ｄ″の部分つまり芯材４１Ｄ″とで目的用途に応じた材質のものをそれぞれ使用することができ、多様な特徴を兼ね備えた端部部材が得られる。例えば、強度に優れた材質の薄板を使用した端部部材では、一部を切削して前方壁部が設けられた端部部材に比較して、端部部材の前面の破損が効果的に防止される。加えて、前記薄板にさらに薄肉のものを使用した端部部材では、前述した図２から理解されるように、該端部部材の前面と該端部部材に連設された幅木本体の本体部材の前面との間の段差を小さくすることができ、もって見栄えがよくなる。
【００５８】
なお、本発明は、具体的に詳述した前記実施の形態に限定されることはなく、本発明の趣旨に沿うものであればよい。
【００５９】
例えば、前記実施の形態では、端部部材４０にＭＤＦを使用したが、その他、ＰＢ（パーティクルボード）、合板、ＬＶＬ（単板積層材）等の木質基材に化粧シートを貼り合せたもの、集成材や合板等の無垢材を塗装したもの、樹脂基材に化粧シートを貼り合せたもの、押し出しや射出成形された樹脂製のもの、樹脂と木粉とを混合してなる複合木材等の中から、目的用途に応じて適宜選択可能である。
【００６０】
また、前記実施の形態では、工場で４５度カットした部材同士を突き合わせてＬ字状の端部部材４０を形成したが、施工現場で部材を４５度カットした上で接合してＬ字状の端部部材としてもよい。また、横溝部４１が設けられていない場合には、いも継ぎ、組み継ぎ等の公知の接合方法により接合してＬ字状の端部部材としてもよい。また、工場で表面に化粧シートが貼り合わされた部材を、化粧シートを残してＶカットした上で、折曲してＬ字状の端部部材としてもよく、この場合には角部が化粧シートで覆われるので、出隅に配設して継ぎ目が露出しなく、かつ、施工現場で寸法精度が要求されることはない。さらに、工場でＬ字状の一体物の木質部材や樹脂部材で端部部材を構成してもよく、この場合には無垢材を塗装したものや樹脂を射出成形したもの等が使用され、継ぎ目がないから見栄えがよく、かつ、施工現場で寸法精度が要求されることはない。
【００６１】
また、前記実施の形態では、Ｌ字状の端部部材４０は入隅に配設されていたが、図１４に示すように、床面Ｆと壁面Ｗとでなる出隅に、本体部材２０の下辺に係合された不陸調整部材３０の端部を収納する空間（図例ではＳ１とＳ２とを示す）Ｓ１〜Ｓ３を有するＬ字状の端部部材４０を配設してもよい。さらに、入隅、出隅に限らず、図１５に一例を示すように、一方の入隅と他方の入隅に至らない箇所の間に、幅木本体１０とＬ字状及び直線状端部部材４０，４０とを配設してもよい。
【００６２】
また、前記実施の形態では、不陸調整部材３０，３０Ａ，３０Ｂは樹脂製とされていたが、例えば木質、鉄鋼等のように、室内の温度あるいは湿度の変化によって伸縮する材質のものも使用可能である。
【００６３】
そして、前記実施の形態では、本体部材２０と端部部材４０とを釘Ｎを使用して壁面Ｗに固定していたが、その他、接着剤、粘着テープを単独または併用して使用してもよい。
【産業上の利用可能性】
【００６４】
以上説明したように、本発明によれば、幅木本体と端部部材との端面同士を突き合わせて床面と壁面との境界に沿って取り付ける場合に、幅木本体を構成する本体部材の下辺に上下位置が調整自在に係合された不陸調整部材の伸縮を吸収することにより、隙間の生成を防止して、見栄えを損なうことがなく、また、ごみ等が侵入することのない幅木構造が提供される。すなわち、本発明は、床面と壁面との境界を覆う幅木の構造に関し、室内用造作材の技術分野に広く好適である。
【図面の簡単な説明】
【００６５】
【図１】本発明の実施の形態に係る幅木構造を示す斜視図である。
【図２】図１のＩＩ−ＩＩ線による断面図である。
【図３】図１のＩＩＩ−ＩＩＩ線による断面図である。
【図４】図１のＩＶ−ＩＶ線による断面図である。
【図５】施工方法を説明するための平面図であって、（ａ）は端部部材を両側の入隅に固定した状態、（ｂ）は不陸調整部材の両端部を端部部材に差し込んだ状態、（ｃ）は本体部材を上方から不陸調整部材に差し込んで固定した状態を示す。
【図６】別なる施工方法を説明するための平面図であって、（ａ）は端部部材を右側の入隅に固定した状態、（ｂ）は不陸調整部材の一方の端部を端部部材に差し込んだ状態、（ｃ）は別なる端部部材を左側の入隅に固定した状態、（ｄ）は本体部材を上方から不陸調整部材に差し込んで固定した状態を示す。
【図７】本発明の効果を説明するための図４に相当する図であって、（ａ）は室内が低温時、（ｂ）は同じく高温時である。
【図８】入隅に配設された端部部材の変形例として、連続する収納空間を有する場合を示す断面図である。
【図９】端部部材の変形例として、単純な形状の収納空間を有する場合を示す断面図である。
【図１０】別なる構成の不陸調整部材を使用した幅木構造を示す図２に相当する断面図である。
【図１１】同じく別なる構成の不陸調整部材を使用した幅木構造を示す図２に相当する断面図である。
【図１２】同じ出発部材から本体部材とＬ字状の端部部材を形成するための部材とを得る場合を説明するための断面図であって、（ａ）は出発部材、（ｂ）は端部部材を形成するための部材、（ｂ）は本体部材を示す。
【図１３】端部部材の前面を別部材で構成する場合を説明するための断面図である。
【図１４】出隅に配設された端部部材の断面図である。
【図１５】一方の入隅と他方の入隅に至らない箇所との間に配設された幅木構造を示す平面図である。
【図１６】従来のキャップ状の端部部材を使用した幅木構造を示す斜視図である。
【図１７】従来の突き合わせ方式による幅木構造を示す斜視図である。
【図１８】不陸調整部材を備えた幅木本体を使用した幅木構造を示す図１７に相当する斜視図である。
【図１９】突き合わせ方式による幅木構造において、不陸調整部材を備えた幅木本体を使用した場合の問題を説明するための正面図であって、（ａ）は室内が低温時、（ｂ）は同じく高温時である。
【符号の説明】
【００６６】
１０，１０Ａ，１０Ｂ            幅木本体
２０，２０Ａ，２０Ｂ，２０Ｃ    本体部材
３０，３０Ａ，３０Ｂ            不陸調整部材
４０，４０Ａ，４０Ｂ            端部部材
４５，４５Ａ，４５Ｂ            前方壁部（端部部材の前面）
４５Ｄ″          前面部材
Ｓ，Ｓ１〜Ｓ３    空間
【図１】
0004644067.tif 000002
【図２】
0004644067.tif 000003
【図３】
0004644067.tif 000004
【図４】
0004644067.tif 000005
【図５】
0004644067.tif 000006
【図６】
0004644067.tif 000007
【図７】
0004644067.tif 000008
【図８】
0004644067.tif 000009
【図９】
0004644067.tif 000010
【図１０】
0004644067.tif 000011
【図１１】
0004644067.tif 000012
【図１２】
0004644067.tif 000013
【図１３】
0004644067.tif 000014
【図１４】
0004644067.tif 000015
【図１５】
0004644067.tif 000016
【図１６】
0004644067.tif 000017
【図１７】
0004644067.tif 000018
【図１８】
0004644067.tif 000019
【図１９】
0004644067.tif 000020